(57)【要約】【課題】建築現場での施工作業を簡略化することができる防振天井パネル、これを備えた天井構成部材、及びこれを備えた建築物を提供すること。【解決手段】防振天井パネル８Ａ〜８Ｄは、互いに格子状に連結された野縁１０ａ〜１０ｄ及び野縁受け１１ａ〜１１ｄと、野縁受け１１ａ〜１１ｄに取り付けられたダイナミックダンパ１２とを備えている。各野縁１０ａ〜１０ｄの両端部には、支持部材７に取付可能な取付部１８がそれぞれ設けられている。取付部１８は、各野縁１０ａ〜１０ｄが縦方向に並ぶととともに横方向に延び、かつ、各野縁受け１１ａ〜１１ｄが各野縁１０ａ〜１０ｄよりも上に配置された状態で支持部材７に取付可能である。【選択図】図４
2014125790.tif 000002
【特許請求の範囲】
【請求項１】
上層階の床を構成するための床構成部材と、下層階の天井を構成するために前記床構成部材からそれぞれ吊下げられ、縦方向に沿って延びるとともに横方向に並ぶ複数の支持部材とを有する建築物において、横方向に互いに隣接する前記支持部材の間に取り付けられる防振天井パネルであって、
互いに格子状に連結された複数の野縁及び複数の野縁受けと、
前記各野縁受けの少なくとも１つに取り付けられた複数のダイナミックダンパとを備え、
前記各野縁の両端部には、前記支持部材に取付可能な取付部がそれぞれ設けられ、
前記取付部は、前記各野縁が縦方向に並ぶととともに横方向に延び、かつ、前記各野縁受けが前記各野縁よりも上に配置された状態で前記支持部材に取付可能である、防振天井パネル。
【請求項２】
前記複数のダイナミックダンパは、前記各野縁と前記各野縁受けとの交点に配置されている、請求項１に記載の防振天井パネル。
【請求項３】
前記各野縁及び前記野縁受けは、前記各ダイナミックダンパの縦方向及び横方向のピッチが実質的に同一となるように配置されている、請求項２に記載の防振天井パネル。
【請求項４】
前記各野縁は、実質的に同一の長さを有するとともに、前記各野縁受けは、実質的に同一の長さを有し、
前記各野縁は、前記各野縁受けの一方の端部同士を連結する第１端部用野縁と、前記各野縁受けの他方の端部同士を連結する第２端部用野縁とを含み、
前記各野縁受けは、前記各野縁の一方の端部同士を連結する第１端部用野縁受けと、前記各野縁の他方の端部同士を連結する第２端部用野縁受けとを含み、
前記ダイナミックダンパは、前記各野縁受けのうちの前記第２端部用野縁受け以外のものと前記各野縁のうち前記第２端部用野縁以外のものとの交点のみに配置されている、請求項１に記載の防振天井パネル。
【請求項５】
前記第２端部用野縁と前記第１端部用野縁とが互い隣接するように２つの防振天井パネルが縦方向に並べられた状態において、縦方向に並ぶ全てのダイナミックダンパのピッチが実質的に同一となるように、前記各野縁同士の間隔が設定され、
前記第２端部用野縁受けと前記第１端部用野縁受けとが互いに隣接するように２つの防振天井パネルが前記支持部材を挟んで横方向に並べられた状態において、横方向に並ぶ全てのダイナミックダンパのピッチが実質的に同一となるように、前記各野縁受け同士の間隔が設定され、
前記各ダイナミックダンパの縦方向及び横方向のピッチが実質的に同一である、請求項４に記載の防振天井パネル。
【請求項６】
上層階の床を構成するための床構成部材を有する建築物において、下層階の天井を構成するための天井構成部材であって、
前記床構成部材に取り付けられる上端部をそれぞれ有する複数の吊り部材と、
前記各吊り部材の下端部に取り付けられているとともに、縦方向に沿って延びるとともに横方向に並ぶ複数の支持部材と、
前記横方向に互いに隣接する前記支持部材の間に取り付けられた、請求項１〜５の何れか１項に記載の防振天井パネルであって、前記縦方向及び前記横方向に並ぶ複数の防振天井パネルと、を備えている、天井構成部材。
【請求項７】
前記各支持部材は、それぞれ縦方向に並ぶ複数の吊り部材によって支持されており、
前記各吊り部材の縦方向のピッチは、前記各支持部材の横方向のピッチと実質的に同一である、請求項６に記載の天井構成部材。
【請求項８】
前記各支持部材の横方向の両側には、前記取付部が載置された状態で当該取付部を下から取付可能な被取付部がそれぞれ設けられ、
前記各防振天井パネルは、前記各野縁の間に配置された複数の吸音材と、前記各野縁受けとの間で前記各吸音材を挟持するとともに前記取付部を下に開放するように前記各野縁に固定された挟持部材とを有し、
前記天井構成部材は、前記取付部を下から覆うように前記挟持部材に固定された被覆部材をさらに備えている、請求項６又は７に記載の天井構成部材。
【請求項９】
前記各吊り部材は、床構成部材に対する各支持部材の高さ位置を調整可能な状態で前記各支持部材を支持する、請求項６〜８の何れか１項に記載の天井構成部材。
【請求項１０】
上層階の床を構成するための床構成部材と、
下層階の天井を構成するための、請求項６〜９の何れか１項に記載の天井構成部材とを備えている、建築物。
【発明の詳細な説明】
【技術分野】
【０００１】
本発明は、建築物の上層階と下層階との間に設けられた天井に関する。
【背景技術】
【０００２】
例えば、特許文献１に記載のように、上層階から下層階への衝撃音の伝搬を低減するための天井構造が知られている。
【０００３】
特許文献１に記載の天井構造は、上層階の床梁に吊下げられた天井下地材と、天井下地材に取り付けられた複数のダイナミックダンパとを備えている。天井下地材は、互いに平行に配置された複数の野縁と、各野縁に対して直交した状態で各野縁に上から組み付けられた複数の野縁受けとを備えている。複数の野縁受けのうちの数本の野縁受けは、吊下げ具を介して床梁に吊下げられている。ダイナミックダンパは、野縁受けに取り付けられた弾性体と、弾性体に連結された重量体とを備えている。
【０００４】
特許文献１に記載の天井構造において、上層階からの振動が天井下地材に伝搬すると、野縁受けに対して質量体が振動する。これにより、上層階から下層階への衝撃音の伝搬を低減することができる。
【先行技術文献】
【特許文献】
【０００５】
【特許文献１】特許第４３０６６４４号明細書
【発明の概要】
【発明が解決しようとする課題】
【０００６】
しかしながら、特許文献１に記載の天井構造では、建築現場での施工作業が煩雑である、という問題がある。
【０００７】
特許文献１に記載の天井構造を施工するためには、現場にて野縁と野縁受けとが互いに直交し、かつ、野縁の上に野縁受けが位置するように、野縁及び野縁受けの向き及び位置を調整しながら両者を結合する必要がある。また、野縁と野縁受けとを規定の位置関係で結合するために所定の順序で両者を組付ける必要もある。したがって、建築現場での施工作業が煩雑となる。
【０００８】
特に、野縁及び野縁受けは、それぞれ部屋（天井）の大きさに応じて調整された長い部材であるため、それ自体の取り扱いが難しい。この点も施工作業を煩雑にする要因となっている。
【０００９】
本発明の目的は、建築現場での施工作業を簡略化することができる防振天井パネル、これを備えた天井構成部材、及びこれを備えた建築物を提供することを目的とする。
【課題を解決するための手段】
【００１０】
本願発明者等は、天井を構成する部材から数本の野縁受けを吊下げる構成に代えて、天井下地を支持するための支持部材を吊下げることにより、天井下地を細分化させて支持部材に支持させることができる点に着目して、本願発明に想到した。
【００１１】
具体的に、本発明は、上層階の床を構成するための床構成部材と、下層階の天井を構成するために前記床構成部材からそれぞれ吊下げられ、縦方向に沿って延びるとともに横方向に並ぶ複数の支持部材とを有する建築物において、横方向に互いに隣接する前記支持部材の間に取り付けられる防振天井パネルであって、互いに格子状に連結された複数の野縁及び複数の野縁受けと、前記各野縁受けの少なくとも１つに取り付けられた複数のダイナミックダンパとを備え、前記各野縁の両端部には、前記支持部材に取付可能な取付部がそれぞれ設けられ、前記取付部は、前記各野縁が縦方向に並ぶととともに横方向に延び、かつ、前記各野縁受けが前記各野縁よりも上に配置された状態で前記支持部材に取付可能である、防振天井パネルを提供する。
【００１２】
本発明では、複数の野縁と複数の野縁受けとが予め格子状に連結されているとともに各野縁の両端部には支持部材に取付可能な取付部が設けられている。そのため、互いに隣接する一対の支持部材に対してそれぞれ取付部を取り付けることにより、複数の野縁及び複数の野縁受けを支持部材に支持させることができる。したがって、建築現場において野縁と野縁受けとの位置関係を調整しつつ両者を連結する作業を省略することができる。
【００１３】
また、本発明に係る防振天井パネルは、床構成部材から吊下げられた複数の支持部材のうち互いに隣接したもの同士の間に取り付けられる。そのため、支持部材の数量を増やすことにより、防振天井パネルの１つ当たりの大きさを小さくすることができる。したがって、従来のように天井の大きさに応じた長さを有する野縁及び野縁受けと比較して、野縁及び野縁受けを短くすることができる。
【００１４】
したがって、本発明によれば、建築現場での施工作業を簡略化することができる。
【００１５】
前記防振天井パネルにおいて、前記複数のダイナミックダンパは、前記各野縁と前記各野縁受けとの交点に配置されていることが好ましい。
【００１６】
この態様によれば、野縁と野縁受けとの連結部分、つまり、上層階から下層階への振動の伝達経路上にダイナミックダンパが取り付けられている。そのため、上層階から下層階への衝撃音の伝搬をより確実に抑制することができる。
【００１７】
前記防振天井パネルにおいて、前記各野縁及び前記野縁受けは、前記各ダイナミックダンパの縦方向及び横方向のピッチが実質的に同一となるように配置されていることが好ましい。
【００１８】
この態様では、防振天井パネルに設けられた複数のダイナミックダンパが縦方向及び横方向に等間隔で配置されている。これにより、防振天井パネルの各ダイナミックダンパが設けられている範囲内で満遍なく防振効果を発揮させることができる。
【００１９】
なお、前記態様において『ピッチが実質的に同一』とは、防振天井パネルの各ダイナミックダンパが設けられている範囲内で、満遍なく防振効果を発揮させることができる程度にピッチが共通することを意味する。
【００２０】
前記防振天井パネルにおいて、前記各野縁は、実質的に同一の長さを有するとともに、前記各野縁受けは、実質的に同一の長さを有し、前記各野縁は、前記各野縁受けの一方の端部同士を連結する第１端部用野縁と、前記各野縁受けの他方の端部同士を連結する第２端部用野縁とを含み、前記各野縁受けは、前記各野縁の一方の端部同士を連結する第１端部用野縁受けと、前記各野縁の他方の端部同士を連結する第２端部用野縁受けとを含み、前記ダイナミックダンパは、前記各野縁受けのうちの前記第２端部用野縁受け以外のものと前記各野縁のうち前記第２端部用野縁以外のものとの交点のみに配置されていることが好ましい。
【００２１】
この態様では、各野縁の端部が第１端部用野縁受け及び第２端部用野縁受けにより連結されているとともに、各野縁受けの端部が第１端部用野縁及び第２端部用野縁により連結されている。これにより、各野縁及び各野縁受けの端部が自由端である場合と比較して、各野縁及び各野縁受けの端部の変形や破損等を抑制することができる。したがって、防振天井パネルの強度を向上することができる。
【００２２】
なお、前記態様において『実質的に同一の長さ』とは、各野縁と各野縁受けとが格子状に連結された状態を維持しつつ、各端部用野縁及び各端部用野縁受けにより野縁の端部同士及び野縁受けの端部同士を連結することができる程度に各野縁の長さが共通し、かつ、各野縁受けの長さが共通することを意味する。
【００２３】
また、前記態様では、第２端部用野縁と各野縁受けとの交点及び第２端部用野縁受けと各野縁との交点には、ダイナミックが設けられていない。そのため、第１端部用野縁と第２端部用野縁とが互いに隣接するように２つの防振天井パネルを縦方向に並べた場合に、各防振天井パネルの境界部分にダイナミックダンパが集中配置されるのを抑制することができる。同様に、第１端部用野縁受けと第２端部用野縁受けとが互いに隣接するように２つの防振天井パネルを横方向に並べた場合に、各防振天井パネルの境界部分にダイナミックダンパが集中配置されるのを抑制することができる。したがって、複数の防振天井パネルを施工した状態において、各防振天井パネルにより構成される天井面上において満遍なく防振効果を発揮させることができる。
【００２４】
前記防振天井パネルにおいて、前記第２端部用野縁と前記第１端部用野縁とが互い隣接するように２つの防振天井パネルが縦方向に並べられた状態において、縦方向に並ぶ全てのダイナミックダンパのピッチが実質的に同一となるように、前記各野縁同士の間隔が設定され、前記第２端部用野縁受けと前記第１端部用野縁受けとが互いに隣接するように２つの防振天井パネルが前記支持部材を挟んで横方向に並べられた状態において、横方向に並ぶ全てのダイナミックダンパのピッチが実質的に同一となるように、前記各野縁受け同士の間隔が設定され、前記各ダイナミックダンパの縦方向及び横方向のピッチが実質的に同一であることが好ましい。
【００２５】
この態様では、複数の防振天井パネルを縦方向及び横方向に並べた状態において、各ダイナミックダンパを実質的に同一のピッチで縦方向及び横方向に並べることができる。したがって、複数の防振天井パネルにより形成される天上面において満遍なく防振効果を発揮させることができる。
【００２６】
なお、前記態様において『ピッチが実質的に同一』とは、複数の防振天井パネルにより形成される天上面において、満遍なく防振効果を発揮させることができる程度にピッチが共通することを意味する。
【００２７】
また、本発明は、上層階の床を構成するための床構成部材を有する建築物において、下層階の天井を構成するための天井構成部材であって、前記床構成部材に取り付けられる上端部をそれぞれ有する複数の吊り部材と、前記各吊り部材の下端部に取り付けられているとともに、縦方向に沿って延びるとともに横方向に並ぶ複数の支持部材と、前記横方向に互いに隣接する前記支持部材の間に取り付けられた前記防振天井パネルであって、前記縦方向及び前記横方向に並ぶ複数の防振天井パネルと、を備えている、天井構成部材を提供する。
【００２８】
本発明では、上述した防振天井パネルを有する。そのため、本発明に係る天井構成部材を施工する場合、建築現場において野縁と野縁受けとの位置関係を調整しつつ両者を連結する作業を省略することができる。また、従来のように天井の大きさに応じた長さを有する野縁及び野縁受けと比較して、野縁及び野縁受けを短くすることができる。
【００２９】
したがって、本発明によれば、建築現場での施工作業を簡略化することができる。
【００３０】
前記天井構成部材において、前記各支持部材は、それぞれ縦方向に並ぶ複数の吊り部材によって支持されており、前記各吊り部材の縦方向のピッチは、前記各支持部材の横方向のピッチと実質的に同一であることが好ましい。
【００３１】
この態様では、床構成部材と天井構成部材との連結位置（各吊り部材）の縦方向のピッチと横方向のピッチとを実質的に同一にすることができる。これにより、天井構成部材により構成される天井面に生じる振動モードを特定の振動モードに限定することができる。したがって、ダイナミックダンパの共振周波数のチューニング範囲を限定することができるため、防振効果をより向上することができる。
【００３２】
前記天井構成部材において、前記各支持部材の横方向の両側には、前記取付部が載置された状態で当該取付部を下から取付可能な被取付部がそれぞれ設けられ、前記各防振天井パネルは、前記各野縁の間に配置された複数の吸音材と、前記各野縁受けとの間で前記各吸音材を挟持するとともに前記取付部を下に開放するように前記各野縁に固定された挟持部材とを有し、前記天井構成部材は、前記取付部を下から覆うように前記挟持部材に固定された被覆部材をさらに備えていることが好ましい。
【００３３】
この態様では、支持部材の横方向の両側に被取付部が設けられている。そのため、互いに隣接する支持部材の被取付部上に防振天井パネルを載せ、この状態で、防振天井パネルを下から支持部材に取り付けることができる。したがって、作業者が防振天井パネルを持ち上げた状態で当該防振天井パネルを支持部材に取り付ける場合と比較して、作業者の負担を軽減することができる。
【００３４】
また、前記態様では、防振天井パネルが支持部材に取り付けられた状態で、野縁に生じる荷重を支持部材によって下から受けることができる。そのため、２枚の防振天井パネルを支持部材を挟んで横方向に並べた状態において、各防振天井パネルの野縁を横方向に並べることにより、各野縁の間を連結する補強部材として支持部材を利用することができる。つまり、各野縁と支持部材の一部とによって横方向に延びる１本の仮想的な野縁を形成することができる。したがって、複数の防振天井パネルにより構成される天井の強度を向上することができる。
【００３５】
さらに、前記態様では、各防振天井パネルが挟持部材と野縁受けとの間に挟持された吸音材を有する。これにより、上層階から下層階への衝撃音の伝搬をより効果的に抑制することができる。ここで、野縁受けとの間で吸音材を挟持する挟持部材は、取付部を下に開放するように各野縁に固定されている。これにより、上述した衝撃音の抑制効果を得ながら取付部の被取付部に対する取り付けが許容される。そして、前記態様では、取付部を下から覆うように挟持部材に固定された被覆部材が設けられている。これにより、防振天井パネルと支持部材との取付部分を下から被覆して、天井構成部材の外観を良好にすることができる。
【００３６】
前記天井構成部材において、前記各吊り部材は、床構成部材に対する各支持部材の高さ位置を調整可能な状態で前記各支持部材を支持することが好ましい。
【００３７】
この態様では、各吊り部材が各支持部材の高さ位置を調整可能である。これにより、各防振天井パネルの高さ位置を調整することにより、各防振天井パネルにより構成される天井面を平らにし、かつ、水平にする等の調整（不陸の調整）が可能となる。
【００３８】
また、本発明は、上層階の床を構成するための床構成部材と、下層階の天井を構成するための、前記天井構成部材とを備えている、建築物を提供する。
【発明の効果】
【００３９】
本発明によれば、建築現場での施工作業を簡略化することができる。
【図面の簡単な説明】
【００４０】
【図１】本発明の実施形態に係る建築物の一部を拡大して示す概略側面図である。
【図２】図１に示す天井構成部材の平面図である。
【図３】図２に示す防振天井パネルの平面図である。
【図４】図３に示す防振天井パネルの正面図である。
【図５】図３のＶ−Ｖ線断面図である。
【図６】図２のＶＩ−ＶＩ線断面図である。
【図７】本発明の実施形態の変形例を示す断面図である。
【発明を実施するための形態】
【００４１】
以下添付図面を参照しながら、本発明の実施の形態について説明する。なお、以下の実施の形態は、本発明を具体化した一例であって、本発明の技術的範囲を限定する性格のものではない。
【００４２】
図１を参照して、本実施形態に係る建築物１は、上層階１ａと、下層階１ｂとを有する。具体的に、建築物１は、上層階１ａの床を構成するための床構成部材２と、下層階１ｂの天井を構成するための天井構成部材３とを備えている。なお、以下の説明において、図１の紙面と直交する方向を縦方向と定義し、水平面上で縦方向と直交する方向を横方向と定義する。
【００４３】
図１では、床構成部材２として、床スラブが例示されている。
【００４４】
天井構成部材３は、床構成部材２に取り付けられた上端部をそれぞれ有する複数の吊り部材６と、各吊り部材６の下端部に取り付けられているとともに横方向に並ぶ複数の支持部材７と、横方向に互いに隣接する支持部材７の間に取り付けられた複数の防振天井パネル８Ａ〜８Ｄ（図２参照）と、防振天井パネル８Ａ〜８Ｄの下面に取り付けられた被覆パネル（被覆部材）１６とを備えている。
【００４５】
吊り部材６は、吊りボルト６ａと、吊りボルト６ａの両端に設けられたナット６ｂとを備えている。吊りボルト６ａの上端部は、床構成部材２に対して固定されている。一方、吊りボルト６ａの下端部は、後述する支持部材７に対してナット６ｂにより上方向に抜け止めされている。したがって、ナット６ｂの吊りボルト６ａに対する締め付け位置を調整することにより、支持部材７の高さ位置を調整することができる。
【００４６】
図１及び図６を参照して、支持部材７は、いわゆるハット型の断面形状を有するとともに、縦方向に延びる鋼材である。具体的に、支持部材７は、吊り部材６が固定される固定部７ａと、固定部７ａの横方向の両端部から下に曲がる一対の屈曲部７ｂと、屈曲部７ｂの下端部から横方向の反対側に向けてそれぞれ延びる一対の被取付部７ｃとを備えている。
【００４７】
固定部７ａには、吊りボルト６ａの下端部を挿通するために上下方向に貫通する複数の挿通孔７ｄ（図２参照）が形成されている。具体的に、本実施形態の支持部材７には、縦方向に並ぶ複数の挿通孔７ｄが形成されている。つまり、各支持部材７は、縦方向に並ぶ複数の吊り部材６によって床構成部材２から吊られている。ここで、縦方向に並ぶ挿通孔７ｄ（吊り部材６）のピッチＰ２は、図２に示すように、各支持部材７の横方向のピッチＰ１と実質的に同一に設定されている。これにより、天井構成部材３により構成される天井面に生じる振動モードを特定のモードに限定することができる。
【００４８】
図６を参照して、被取付部７ｃは、後述する防振天井パネル８Ａ〜８Ｄの横方向の端部が載置された状態で当該防振天井パネル８Ａ〜８Ｄを下から取付可能である。具体的に、被取付部７ｃには、当該被取付部７ｃを上下方向に貫通する貫通穴７ｅが形成されている。貫通穴７ｅに対して下から挿入されたビスＢ１を締め付けることにより、防振天井パネル８Ａ〜８Ｄを被取付部７ｃに脱着可能に取り付けることができる。以下、図２を参照して、防振天井パネル８Ａ〜８Ｄについて説明する。
【００４９】
防振天井パネルは、互いに隣接する支持部材７の間に取り付けられている。そのため、縦方向に沿って複数の防振天井パネルを配置することができる。また、３本以上の支持部材を設けることにより、横方向に複数の防振天井パネルを配置することができる。図２では、防振天井パネル８Ａと８Ｂとが縦方向に並び、防振天井パネル８Ａの横に防振天井パネル８Ｃが並び、かつ、防振天井パネル８Ｂの横に防振天井パネル８Ｄが並ぶ例を示す。防振天井パネル８Ａ〜８Ｄは、それぞれ同様の構成を有する。そのため、以下、図３〜図６を参照して、防振天井パネル８Ａの具体的構成について説明する。
【００５０】
防振天井パネル８Ａは、互いに格子状に連結された複数の野縁１０ａ〜１０ｄ及び複数の野縁受け１１ａ〜１１ｄと、複数のダイナミックダンパ１２と、各野縁１０ａ〜１０ｄと各野縁受け１１ａ〜１１ｄとを連結するための連結金具１４と、各野縁１０ａ〜１０ｄの間に設けられた複数の吸音材１７（図５参照）と、各野縁受け１１ａ〜１１ｄとの間で各吸音材１７を挟持する挟持パネル（挟持部材）１５とを備えている。
【００５１】
各野縁１０ａ〜１０ｄは、金属製の管状部材である。また、各野縁１０ａ〜１０ｄの横方向の両端部には、前記支持部材に取付可能な取付部１８がそれぞれ設けられている。取付部１８は、各野縁１０ａ〜１０ｄが縦方向に並ぶとともに横方向に延び、かつ、各野縁受け１１ａ〜１１ｄが各野縁１０ａ〜１０ｄよりも上に配置された状態で、支持部材７に取付可能である。具体的に、取付部１８は、図６に示すように、前記支持部材７の被取付部７ｃ上に載せられた状態で支持部材７に取付可能である。また、取付部１８は、取り外し可能な状態で支持部材７に取付可能である。本実施形態に係る取付部１８は、前記ビスＢ１の締め付けによって当該ビスＢ１が貫通するように設定された肉厚を有する部分により構成されている。
【００５２】
各野縁受け１１ａ〜１１ｄは、上下方向に対向する一対のフランジ（符号省略）と、各フランジの端部同士を連結するウェブ（符号省略）とを有するゲート型の断面形状を有する金属製の部材である。また、各野縁受け１１ａ〜１１ｄを構成する板材の厚みは、各野縁１０ａ〜１０ｄの周壁の厚みよりも厚い。
【００５３】
ダイナミックダンパ１２は、野縁受けに取り付けられた弾性体（符号省略）と、弾性体に連結された重量体とを有し、野縁受けに対して重量体が振動することにより防振天井パネル８Ａに生じた振動を低減するものである。
【００５４】
また、ダイナミックダンパ１２は、図２に示すように、防振天井パネル８Ａと８Ｂ（防振天井パネル８Ｃと８Ｄ）とを縦方向に並べた状態において、縦方向に並ぶ全てのダイナミックダンパ１２のピッチＰ３が実質的に同一となるように配置されている。また、ダイナミックダンパ１２は、防振天井パネル８Ａと８Ｃ（防振天井パネル８Ｂと８Ｄ）とを横方向に並べた状態において、横方向に並ぶ全てのダイナミックダンパ１２のピッチＰ４が実質的に同一となるように配置されている。以下、図２及び図３を参照して、まず、野縁１０ａ〜１０ｄ及び野縁受け１１ａ〜１１ｄの配置について説明する。
【００５５】
野縁１０ａ〜１０ｄは、実質的に同一の長さを有する。また、各野縁受け１１ａ〜１１ｄは、実質的に同一の長さを有する。
【００５６】
各野縁１０ａ〜１０ｄは、各野縁受け１１ａ〜１１ｄの一方の端部同士を連結する野縁１０ａ（以下、第１端部用野縁１０ａともいう）と、各野縁受け１１ａ〜１１ｄの他方の端部同士を連結する野縁１０ｂ（以下、第２端部用野縁１０ｂともいう）と、第１端部用野縁１０ａと第２端部用野縁１０ｄとの間に設けられた野縁１０ｃ、１０ｄ（以下、中間野縁１０ｃ、１０ｄともいう）とを備えている。各野縁１０ａ、１０ｃ、１０ｄの間のピッチは、それぞれピッチＰ３（図２参照）である。一方、中間野縁１０ｄと第２端部用野縁１０ｂとの間のピッチは、前記ピッチＰ３よりも短いピッチＰ５である。そして、防振天井パネル８Ａと８Ｂとを縦方向に並べた状態における、防振天井パネル８Ａの第２端部用野縁１０ｂと防振天井パネル８Ｂの第１端部用野縁１０ａとの間のピッチは、ピッチＰ６である。ピッチＰ６は、ピッチＰ３からピッチＰ５を減じたものである。したがって、防振天井パネル８Ａの第２端部用野縁１０ｂと防振天井パネル８Ｂの第１端部用野縁１０ａとの間のピッチは、ピッチＰ３となる。なお、本実施形態において、ピッチＰ６は、防振天井パネル８Ａの第２端部用野縁１０ｂと防振天井パネル８Ｂの第１端部用野縁１０ａとを密着させた状態における両野縁１０ａ、１０ｂ間のピッチである。この状態において、防振天井パネル８Ａの各野縁受け１１ａ〜１１ｄの端部と、防振天井パネル８Ｂの各野縁受け１１ａ〜１１ｄの端部とは、防振天井パネル８Ａの第２端部用野縁１０ｂ上で互いに当接する。
【００５７】
各野縁受け１１ａ〜１１ｄは、各野縁１０ａ〜１０ｄの一方の端部同士を連結する野縁受け１１ａ（以下、第１端部用野縁受け１１ａともいう）と、各野縁１０ａ〜１０ｄの他方の端部同士を連結する野縁受け１１ｂ（以下、第２端部用野縁受け１１ｂともいう）と、第１端部用野縁受け１１ａと第２端部用野縁受け１１ｂとの間に設けられた野縁受け１１ｃ、１１ｄ（以下、中間野縁受け１１ｃ、１１ｄともいう）とを備えている。各野縁受け１１ａ、１１ｃ、１１ｄの間のピッチは、それぞれピッチＰ４である。一方、中間野縁受け１１ｄと第２端部用野縁受け１１ｂとの間のピッチは、前記ピッチＰ４よりも短いピッチＰ７である。そして、防振天井パネル８Ａと８Ｃとを横方向に並べた状態における、防振天井パネル８Ａの第２端部用野縁受け１１ｂと防振天井パネル８Ｃの第１端部用野縁受け１１ａとの間のピッチは、ピッチＰ８である。ピッチＰ８は、ピッチＰ４からピッチＰ７を減じたものである。したがって、防振天井パネル８Ａの第２端部用野縁受け１１ｂと防振天井パネル８Ｃの第１端部用野縁受け１１ａとの間のピッチは、ピッチＰ４となる。ピッチＰ４は、前記ピッチＰ３と実質的に同一である。
【００５８】
そして、各ダイナミックダンパ１２は、各野縁受け１１ａ〜１１ｄのうちの第２端部用野縁受け１１ｂ以外のものと各野縁１０ａ〜１０ｄのうち第２端部用野縁１０ｂ以外のものとの交点のみに配置されている。したがって、図２に示すように、縦方向及び横方向に複数の防振天井パネル８Ａ〜８Ｄを配置した場合に、各ダイナミックダンパ１２の縦方向及び横方向のピッチが実質的に同一のピッチＰ３、Ｐ４となる。
【００５９】
連結金具１４は、図４及び図６に示すように、各野縁１０ａ〜１０ｄと各野縁受け１１ａ〜１１ｄとを連結する。具体的に、連結金具１４は、各野縁１０ａ〜１０ｄの外周面に係合可能な係合部と、各野縁受け１１ａ〜１１ｄのフランジを係止可能な係止部とを有する周知のものである。連結金具１４を省略して、各野縁１０ａ〜１０ｄと各野縁受け１１ａ〜１１ｄとを溶接等の手段によって直接連結してもよい。
【００６０】
挟持パネル１５は、図５に示すように、各野縁受け１１ａ〜１１ｄとの間で各吸音材１７を挟持した状態で、各野縁１０ａ〜１０ｄの下面に対してビスＢ２によって取り付けられている。具体的に、挟持パネル１５は、図６に示すように、取付部１８を下に開放するように各野縁１０ａ〜１０ｄに取り付けられている。したがって、挟持パネル１５により各吸音材１７を保持しながら、ビスＢ１による支持部材７に対する各防振天井パネル８Ａ〜８Ｄの取り付けが許容される。
【００６１】
被覆パネル１６は、各防振天井パネル８Ａ〜８Ｄの挟持パネル１５に下から取り付けられている。具体的に、被覆パネル１６は、各野縁１０ａ〜１０ｄの取付部１８、ビスＢ１、及び支持部材７の被取付部７ｃを下から覆う。これにより、天井構成部材３の外観が良好となる。
【００６２】
以上説明したように、前記実施形態に係る防振天井パネル８Ａ〜８Ｄでは、野縁１０ａ〜１０ｄと野縁受け１１ａ〜１１ｄとが予め格子状に連結されているとともに各野縁１０ａ〜１０ｄの両端部には支持部材７に取付可能な取付部１８が設けられている。そのため、互いに隣接する一対の支持部材７に対してそれぞれ取付部１８を取り付けることにより、野縁１０ａ〜１０ｄ及び野縁受け１１ａ〜１１ｄを支持部材７に支持させることができる。したがって、建築現場において野縁と野縁受けとの位置関係を調整しつつ両者を連結する作業を省略することができる。
【００６３】
また、前記実施形態に係る防振天井パネル８Ａ〜８Ｄは、床構成部材２から吊下げられた複数の支持部材７のうち互いに隣接したもの同士の間に取り付けられる。そのため、支持部材７の数量を増やすことにより、防振天井パネル８Ａ〜８Ｄの１つ当たりの大きさを小さくすることができる。したがって、従来のように天井の大きさに応じた長さを有する野縁及び野縁受けと比較して、野縁及び野縁受けを短くすることができる。
【００６４】
したがって、前記実施形態によれば、建築現場での施工作業を簡略化することができる。
【００６５】
前記実施形態では、取付部１５が支持部材７の被取付部７ｃ上に載せられた状態で支持部材７に取付可能であるため、防振天井パネル８Ａ〜８Ｄの重量を支持部材７に預けた状態で防振天井パネル８Ａ〜８Ｄを支持部材７に取り付けることができる。これにより、作業者が防振天井パネル８Ａ〜８Ｄを持ち上げた状態で当該防振天井パネル８Ａ〜８Ｄを支持部材７に取り付ける場合と比較して、作業者の負担を軽減することができる。
【００６６】
また、前記実施形態では、防振天井パネル８Ａが支持部材７に取り付けられた状態で、野縁１０ａ〜１０ｄに生じる荷重を支持部材７によって下から受けることができる。そのため、２枚の防振天井パネル（例えば、防振天井パネル８Ａと８Ｃ）を支持部材７を挟んで横方向に並べた状態において、各防振天井パネル８Ａ、８Ｃの野縁１０ａ〜１０ｄを横方向に並べることにより、各野縁１０ａ〜１０ｄの間を連結する補強部材として支持部材７を利用することができる。つまり、各野縁１０ａ〜１０ｄと支持部材７の一部とによって横方向に延びる１本の仮想的な野縁を形成することができる。したがって、複数の防振天井パネル８Ａ〜８Ｄにより構成される天井の強度を向上することができる。
【００６７】
前記実施形態によれば、野縁１０ａ、１０ｃ、１０ｄと野縁受け１１ａ、１１ｃ、１１ｄとの連結部分、つまり、上層階から下層階への振動の伝達経路上にダイナミックダンパ１２が取り付けられている。そのため、上層階から下層階への衝撃音の伝搬をより確実に抑制することができる。
【００６８】
なお、前記実施形態では、各ダイナミックダンパ１２が野縁１０ａ、１０ｃ、１０ｄと野縁受け１１ａ、１１ｃ、１１ｄとの交点に配置された例について説明した。しかし、ダイナミックダンパ１２は、各野縁受け１１ａ〜１１ｄの少なくとも１つに取り付けることができ、その取付位置は、限定されない。
【００６９】
前記実施形態では、各防振天井パネル８Ａ〜８Ｄにおいて、複数のダイナミックダンパ１２が縦方向及び横方向に等間隔（ピッチＰ３、Ｐ４）で配置されている。これにより、防振天井パネル８Ａ〜８Ｄのダイナミックダンパ１２が設けられている範囲内で満遍なく防振効果を発揮させることができる。
【００７０】
前記実施形態では、各野縁１０ａ〜１０ｄの端部が第１端部用野縁受け１１ａ及び第２端部用野縁受け１１ｂにより連結されているとともに、各野縁受け１１ａ〜１１ｄの端部が第１端部用野縁１０ａ及び第２端部用野縁１０ｂにより連結されている。これにより、各野縁１０ａ〜１０ｄ及び各野縁受け１１ａ〜１１ｄの端部が自由端である場合と比較して、各野縁１０ａ〜１０ｄ及び各野縁受け１１ａ〜１１ｄの端部の変形や破損等を抑制することができる。したがって、防振天井パネル８Ａ〜８Ｄの強度を向上することができる。
【００７１】
前記実施形態では、第２端部用野縁１０ｂと各野縁受け１１ａ〜１１ｄとの交点及び第２端部用野縁受け１１ｂと各野縁１０ａ〜１０ｄとの交点には、ダイナミックが設けられていない。そのため、第１端部用野縁１０ａと第２端部用野縁１０ｂとが互いに隣接するように２つの防振天井パネル（例えば、防振天井パネル８Ａと８Ｂ）を縦方向に並べた場合に、各防振天井パネル８Ａ、８Ｂの境界部分にダイナミックダンパ１２が集中配置されるのを抑制することができる。同様に、第１端部用野縁受け１１ａと第２端部用野縁受け１１ｂとが互いに隣接するように２つの防振天井パネル（例えば、防振天井パネル８Ａと８Ｃ）を横方向に並べた場合に、各防振天井パネル８Ａ、８Ｃの境界部分にダイナミックダンパ１２が集中配置されるのを抑制することができる。したがって、複数の防振天井パネル８Ａ〜８Ｄを施工した状態において、各防振天井パネル８Ａ〜８Ｄにより構成される天井面において満遍なく防振効果を発揮させることができる。
【００７２】
前記実施形態では、防振天井パネル８Ａ〜８Ｄを縦方向及び横方向に並べた状態において、各ダイナミックダンパ１２を実質的に同一のピッチＰ３、Ｐ４で縦方向及び横方向に並べることができる。したがって、複数の防振天井パネル８Ａ〜８Ｄにより形成される天上面において満遍なく防振効果を発揮させることができる。
【００７３】
なお、前記実施形態では、各野縁１０ａ〜１０ｄの端部同士を端部用野縁受け１１ａ、１１ｂにより連結するとともに、各野縁受け１１ａ〜１１ｄの端部同士を端部用野縁１０ａ、１０ｂにより連結している。しかし、前記実施形態は、各野縁１０ａ〜１０ｄ及び各野縁受け１１ａ〜１１ｄの端部同士を連結することに限定するものではない。端部用野縁及び端部用野縁受けを省略した場合には、隣り合う防振天井パネル８Ａ〜８Ｄ間のダイナミックダンパ１２の集中配置を避けることができる。したがって、複数の防振天井パネル８Ａ〜８Ｄを並べた状態において、ダイナミックダンパ１２を等間隔で配置し易くなる。
【００７４】
また、ダイナミックダンパ１２の配置とは無関係の第２端部用野縁１０ｂ及び第２端部用野縁受け１１ｂのみを省略することもできる。このようにすれば、野縁１０ｂ及び野縁受け１１ｂを省略することにより、防振天井パネル８Ａ〜８Ｄの軽量化及びコストダウンを図ることができる。
【００７５】
前記実施形態では、取付部１８が支持部材７に対して取り外し可能である。そのため、建築物１の解体時に防振天井パネル８Ａ〜８Ｄを支持部材７から取り外すことにより、当該防振天井パネル８Ａ〜８Ｄをリサイクルすることができる。従来のように、天井の大きさに応じた長さを有する野縁及び野縁受けを用いる場合には、建築物の解体時に床構成部材から取り外すことだけでなく、これを建築物の外側に搬送することも困難である。これに対し、上述のように、防振天井パネル８Ａ〜８Ｄをコンパクトに構成することが可能であり、解体時の取り外し作業及び搬送作業を効率的に行なうことが可能である。
【００７６】
前記実施形態では、床構成部材２と天井構成部材３との連結位置（各吊り部材）の縦方向のピッチＰ２と横方向のピッチＰ１とを実質的に同一にすることができる。これにより、天井構成部材３により構成される天井面に生じる振動モードを特定の振動モードに限定することができる。したがって、ダイナミックダンパ１２の共振周波数のチューニング範囲を限定することができるため、防振効果をより向上することができる。
【００７７】
前記実施形態では、支持部材７の横方向の両側に被取付部７ｃが設けられている。そのため、互いに隣接する支持部材７の被取付部７ｃ上に防振天井パネル８Ａ〜８Ｄを載せ、この状態で、防振天井パネル８Ａ〜８Ｄを下から支持部材７に取り付けることができる。したがって、支持部材７の下に位置する作業者が防振天井パネル８Ａ〜８Ｄを持ち上げた状態で当該防振天井パネル８Ａ〜８Ｄを支持部材に取り付ける場合と比較して、作業者の負担を軽減することができる。
【００７８】
前記実施形態では、各防振天井パネル８Ａ〜８Ｄが挟持パネル１５と野縁受け１１ａ〜１１ｄとの間に挟持された吸音材１７を有する。これにより、上層階から下層階への衝撃音の伝搬をより効果的に抑制することができる。ここで、野縁受け１１ａ〜１１ｄとの間で吸音材を挟持する挟持パネル１５は、取付部１８を下に開放するように各野縁１０ａ〜１０ｄに固定されている。これにより、上述した衝撃音の抑制効果を得ながら取付部１８の被取付部７ｃに対する取り付けが許容される。そして、前記実施形態では、取付部１８を下から覆うように挟持パネル１５に固定された被覆パネル１６が設けられている。これにより、防振天井パネル８Ａ〜８Ｄと支持部材７との取付部分を下から被覆して、天井構成部材の外観を良好にすることができる。
【００７９】
前記実施系値では、各吊り部材６が各支持部材７の高さ位置を調整可能である。これにより、各防振天井パネル８Ａ〜８Ｄの高さ位置を調整することにより、各防振天井パネル８Ａ〜８Ｄにより構成される天井面を平らにし、かつ、水平にする等の調整（不陸の調整）が可能となる。
【００８０】
なお、前記実施形態では、床構成部材２として床スラブ（例えば、鉄筋コンクリートスラブ）を例示したが、床構成部材２はこれに限定されない。床構成部材２は、例えば、床材と、この床材を下から支持する複数の床梁５（図７参照）とを備えていてもよい。この場合、同図に示すように、床梁５に対して吊り部材６の上端部を取り付けることができる。
【００８１】
また、前記実施形態では、ダイナミックダンパ１２を有する天井構成部材３について説明したが、天井構成部材３は、自らの変形により振動を減衰させる防振材を有していてもよい。例えば、図７に示すように、吊り部材６のナット６ｂと床梁５との間に弾性材料により構成された防振材１９を設けることができる。これにより、防振材１９の弾性変形によって、上層階で生じた振動が下層階へ伝搬するのを抑制することができる。特に、ダイナミックダンパ１２は、その共振周波数がチューニングされた特定の帯域において振動の伝播を抑制するため、重量床衝撃音の低減に有効であるのに対し、防振材１９は、比較的に広い帯域において振動を抑制するため、軽量床衝撃音の低減に有効である。ここで、重量床衝撃音は、上層階の人間が走り回ったとき等に発生する低周波数の振動に起因する衝撃音である。また、軽量床衝撃音は、物が落下したとき又は物を引きずったとき等に発生する中高域周波数の振動に起因する衝撃音である。
【００８２】
ただし、ＲＣ構造においては、床材の重量を大きくすることにより、容易に軽量床衝撃音の低減を図ることができる。そのため、鉄筋コンクリート構造においては、防振材１９を省略することができる。
【００８３】
なお、前記実施形態では、４本の野縁１０ａ〜１０ｄと、４本の野縁受け１１ａ〜１１ｄとを有する防振天井パネル８Ａ〜８Ｄについて説明したが、野縁及び野縁受けの本数は、複数本であれば限定されない。ダイナミックダンパの数量も、複数であれば限定されない。
【符号の説明】
【００８４】
Ｐ１    ピッチ（支持部材の横方向のピッチ）
Ｐ２    ピッチ（吊り部材の縦方向のピッチ）
Ｐ３    ピッチ（ダイナミックダンパの縦方向のピッチ）
Ｐ４    ピッチ（ダイナミックダンパの横方向のピッチ）
１    建築物
１ａ    上層階
１ｂ    下層階
２    床構成部材
３    天井構成部材
６    吊り部材
７    支持部材
７ｃ    被取付部
８Ａ〜８Ｄ    防振天井パネル
１０ａ〜１０ｄ    野縁
１１ａ〜１１ｄ    野縁受け
１２    ダイナミックダンパ
１５    挟持パネル（挟持部材の一例）
１６    被覆パネル（被覆部材の一例）
１７    吸音材
１８    取付部
【図１】
2014125790.tif 000003
【図２】
2014125790.tif 000004
【図３】
2014125790.tif 000005
【図４】
2014125790.tif 000006
【図５】
2014125790.tif 000007
【図６】
2014125790.tif 000008
【図７】
2014125790.tif 000009